(57)【要約】【課題】事象データを収集し、提供者から提供された事象データに対して、信頼性の評価を行い、信頼性の度合いを含めて、利用者に交通情報やイベント情報などの事象データを提供することが可能な交通路情報提供システムを提供する。【解決手段】本発明は、携帯端末から、位置検出部により得た位置情報が付加された事象データを受信し記録し、利用者の要求により携帯端末へ事象データを送信する道路情報提供システムであり、事象データが種別毎に、事象がある位置情報が付加されて記録されている事象データベースと、携帯端末から送信される各地点の前記事象データを、位置情報と共に事象データベースへ登録する登録部と、検索要求に従い、事象データベースに登録された事象データを検索する検索部と、検索された同一の位置情報の数を計数し、この登録数を付加し、要求された事象データを携帯端末へ送信するサーバとを有する。【選択図】      図１
2004287500.tif 000002
【特許請求の範囲】
【請求項１】
車両に搭載された、または歩行者の携帯する携帯端末から、この携帯端末の位置検出手段から得られた位置情報が付加された事象データを受信して記録し、利用者からの要求により前記携帯端末へ位置情報が付加された事象データを送信する道路情報提供システムであり、
前記事象データが種別毎に、事象の起こっている位置情報が付加されて記録されている事象データベースと、
携帯端末から送信される各地点の前記事象データを、地点の位置情報と関連させて前記事象データベースへ登録する登録部と、
携帯端末からの検索要求に従い、要求された種別に基づいて、事象データを前記事象データベースから検索する検索部と、
前記事象データの種別毎に、検索部に検索された同一の位置情報の数を登録数として計数し、この登録数を付加して、要求された種類の事象データを、要求した携帯端末へ送信するサーバと
を有することを特徴とする道路情報提供システム。
【請求項２】
前記サーバが、前記事象データの前記登録数の数により、この事象データの信頼度の判定を行うことを特徴とする請求項１記載の道路情報提供システム。
【請求項３】
前記サーバが、前記事象データの関連した位置と、同一の位置に存在する撮像装置及びセンサの出力する周辺情報を、前記登録数とともに用いて所定の地点の信頼度の判定を行うことを特徴とする請求項１に記載の道路情報提供システム。
【請求項４】
前記撮像装置が、特定位置に固定され、この位置周辺の情報を得るものと、車両に搭載されて移動しつつ、この車両周辺の情報を得るものとであることを特徴とする請求項３に記載の道路情報供給システム。
【請求項５】
前記センサが、特定位置に固定され、この位置周辺の情報を得るものと、車両に搭載されて移動しつつ、この車両周辺の情報を得るものと、であることを特徴とする請求項３に記載の道路情報供給システム。
【請求項６】
前記サーバが、前記事象データベースに登録された事象データと、同一の地点に位置する携帯端末に対し、この事象データを送信し、この携帯端末から送信される、この事象データに対する確認結果を、信頼性を示す情報として添付し、情報要求した携帯端末へ事象データを送信することを特徴とする請求項１に記載の道路情報提供システム。
【請求項７】
車両に搭載された、または歩行者の携帯する携帯端末から、この携帯端末の位置検出手段から得られた位置情報が付加された事象データを受信して記録し、利用者からの要求により前記携帯端末へ位置情報が付加された事象データを送信する道路情報提供方法であり、
前記事象データが種別毎に、事象の起こっている位置情報が付加して、事象データベースへ記録する記憶過程と、
携帯端末から送信される各地点の前記事象データを、地点の位置情報と関連させて前記事象データベースへ登録する登録過程と、
携帯端末からの検索要求に従い、要求された種別に基づいて、事象データを前記事象データベースから検索する検索過程と、
サーバが前記事象データの種別毎に、検索部に検索された同一の位置情報の数を登録数として計数し、この登録数を付加して、要求された種類の事象データを、要求した携帯端末へ送信する送信過程と
を有することを特徴とする道路情報提供方法。
【請求項８】
前記サーバによる送信過程が、前記事象データの前記登録数の数により、この事象データの信頼度の判定を行う過程を有することを特徴とする請求項７記載の道路情報提供方法。
【請求項９】
前記サーバによる送信過程が、前記事象データの関連した位置と、同一の位置に存在する撮像装置及びセンサの出力する周辺情報を、前記登録数とともに用いて所定の地点の信頼度の判定を行う過程を有することを特徴とする請求項７に記載の道路情報提供方法。
【請求項１０】
前記サーバによる送信過程が、前記事象データベースに登録された事象データと、同一の地点に位置する携帯端末に対し、この事象データを送信し、この携帯端末から送信される、この事象データに対する確認結果を、信頼性を示す情報として添付し、情報要求した携帯端末へ事象データを送信する過程を有することを特徴とする請求項７に記載の道路情報提供方法。
【請求項１１】
車両に搭載された、または歩行者の携帯する携帯端末から、この携帯端末の位置検出手段から得られた位置情報が付加された事象データを受信して記録し、利用者からの要求により前記携帯端末へ位置情報が付加された事象データを送信する、コンピュータ実行可能なプログラムであり、
前記事象データが種別毎に、事象の起こっている位置情報が付加して、事象データベースへ記録する記憶処理と、
携帯端末から送信される各地点の前記事象データを、地点の位置情報と関連させて前記事象データベースへ登録する登録処理と、
携帯端末からの検索要求に従い、要求された種別に基づいて、事象データを前記事象データベースから検索する検索処理と、
サーバが前記事象データの種別毎に、検索部に検索された同一の位置情報の数を登録数として計数し、この登録数を付加して、要求された種類の事象データを、要求した携帯端末へ送信する送信処理と
を有することを特徴とするコンピュータにより実行可能な道路情報提供プログラム。
【請求項１２】
前記サーバによる送信処理が、前記事象データの前記登録数の数により、この事象データの信頼度の判定を行う処理を有することを特徴とする請求項１１記載の道路情報提供プログラム。
【請求項１３】
前記サーバによる送信処理が、前記事象データの関連した位置と、同一の位置に存在する撮像装置及びセンサの出力する周辺情報を、前記登録数とともに用いて所定の地点の信頼度の判定を行う処理を有することを特徴とする請求項１１に記載の道路情報提供プラグラム。
【請求項１４】
前記サーバによる送信処理が、前記事象データベースに登録された事象データと、同一の地点に位置する携帯端末に対し、この事象データを送信し、この携帯端末から送信される、この事象データに対する確認結果を、信頼性を示す情報として添付し、情報要求した携帯端末へ事象データを送信する処理を有することを特徴とする請求項１１に記載の道路情報提供プラグラム。
【請求項１５】
請求項１１から請求項１３に記載のプログラムを記録した、コンピュータにより読みとり可能な記録媒体。
【発明の詳細な説明】
【０００１】
【発明の属する技術分野】
本発明は、自動車などの車両に搭載し、または利用者が携帯して用いる携帯端末との間で事象データの授受を行うナビゲーションシステムであり、道路上での事故，工事，祭り，イベント等の事象の状態を示す事象データを、車両及び利用者等に知らせるための道路交通情報システム及びその方法に関するものである。
【０００２】
【従来の技術】
従来、自動車などにおいて、地図表示を行う地図表示装置としてナビゲーションシステムが広く普及している。
そして、ナビゲーションシステムは、目的地の案内の機能のみではなく、道路交通情報通信システム（ＶＩＣＳ）の放送している交通情報を受信し、より快適な走行を行うための幹線道路の交通情報を得られる機能をも有している。
【０００３】
特許文献１にも、ＶＩＣＳと同様に、
・道路交通情報を体系的に収集する情報収集機能
・収集された情報情報を処理・編集する情報提供機能
・処理された情報を車載器に伝送する情報提供機能
・利用者が車載器を使って情報を利用する情報活用機能
が記載されている。
【０００４】
【特許文献１】
特開平１１−３２８５８１号公報
【０００５】
【発明が解決しようとする課題】
上述した従来の道路情報提供システムは、情報収集の処理において、事象データの情報源を、都道府県県警や道路管理者などの信頼のおける情報提供者に限定し、センターが加工及び編集して通知する交通情報の信頼性を確保していた。
しかしながら、都道府県県警や道路管理者などの信頼のおける情報提供者は、センサ及びテレビカメラの設置、得られたデータの解析を行う必要があり、コスト面から通行量の多い幹線道路における情報しか提供していない。
【０００６】
そこで、一般の情報提供者からの交通情報を、通知する交通情報として利用することが考えられるが、増大する情報発信に対して、発信された情報の信頼性（有用性）を如何に確認するかが問題となる。
そして、また、交通状況は時々刻々と変化するものであるため、上記発信された情報に対する信頼性の確認、すなわち信頼に足る情報（価値ある情報）の確保に要する時間を如何に短縮させるかが問題である。
【０００７】
本願発明は、幹線道路以外の道路を含めて、事象データを収集し、提供者から提供されたこの事象データに対して、信頼性（有用性）の評価を行い、信頼性の度合いを含めて、利用者に交通情報やイベント情報などの事象データを提供することが可能な交通路情報提供システムを提供する。
【０００８】
【課題を解決するための手段】
本発明の道路情報提供システムは、車両に搭載された、または歩行者の携帯する携帯端末から、この携帯端末の位置検出手段から得られた位置情報が付加された事象データを受信して記録し、利用者からの要求により前記携帯端末へ位置情報が付加された事象データを送信する道路情報提供システムであり、前記事象データが種別毎に、事象の起こっている位置情報が付加されて記録されている事象データベースと、携帯端末から送信される各地点の前記事象データを、地点の位置情報と関連させて前記事象データベースへ登録する登録部と、携帯端末からの検索要求に従い、要求された種別に基づいて、事象データを前記事象データベースから検索する検索部と、前記事象データの種別毎に、検索部に検索された同一の位置情報の数を登録数として計数し、この登録数を付加して、要求された種類の事象データを、要求した携帯端末へ送信するサーバとを有することを特徴とする。
【０００９】
本発明の道路情報提供システムは、前記サーバが、前記事象データの前記登録数の数により、この事象データの信頼度の判定を行うことを特徴とする。
本発明の道路情報提供システムは、前記サーバが、前記事象データの関連した位置と、同一の位置に存在する撮像装置及びセンサの出力する周辺情報を、前記登録数とともに用いて所定の地点の信頼度の判定を行うことを特徴とする。
本発明の道路情報提供システムは、前記撮像装置が、特定位置に固定され、この位置周辺の情報を得るものと、車両に搭載されて移動しつつ、この車両周辺の情報を得るものとであることを特徴とする。
【００１０】
本発明の道路情報提供システムは、前記センサが、特定位置に固定され、この位置周辺の情報を得るものと、車両に搭載されて移動しつつ、この車両周辺の情報を得るものと、であることを特徴とする。
本発明の道路情報提供システムは、前記サーバが、前記事象データベースに登録された事象データと、同一の地点に位置する携帯端末に対し、この事象データを送信し、この携帯端末から送信される、この事象データに対する確認結果を、信頼性を示す情報として添付し、情報要求した携帯端末へ事象データを送信することを特徴とする。
【００１１】
本発明の道路情報提供方法は、車両に搭載された、または歩行者の携帯する携帯端末から、この携帯端末の位置検出手段から得られた位置情報が付加された事象データを受信して記録し、利用者からの要求により前記携帯端末へ位置情報が付加された事象データを送信する道路情報提供方法であり、前記事象データが種別毎に、事象の起こっている位置情報が付加して、事象データベースへ記録する記憶過程と、携帯端末から送信される各地点の前記事象データを、地点の位置情報と関連させて前記事象データベースへ登録する登録過程と、携帯端末からの検索要求に従い、要求された種別に基づいて、事象データを前記事象データベースから検索する検索過程と、サーバが前記事象データの種別毎に、検索部に検索された同一の位置情報の数を登録数として計数し、この登録数を付加して、要求された種類の事象データを、要求した携帯端末へ送信する送信過程とを有することを特徴とする。
【００１２】
本発明の道路情報提供方法は、前記サーバによる送信過程が、前記事象データの前記登録数の数により、この事象データの信頼度の判定を行う過程を有することを特徴とする。
本発明の道路情報提供方法は、前記サーバによる送信過程が、前記事象データの関連した位置と、同一の位置に存在する撮像装置及びセンサの出力する周辺情報を、前記登録数とともに用いて所定の地点の信頼度の判定を行う過程を有することを特徴とする。
本発明の道路情報提供方法は、前記サーバによる送信過程が、前記事象データベースに登録された事象データと、同一の地点に位置する携帯端末に対し、この事象データを送信し、この携帯端末から送信される、この事象データに対する確認結果を、信頼性を示す情報として添付し、情報要求した携帯端末へ事象データを送信する過程を有することを特徴とする。
【００１３】
本発明の道路情報提供プログラムは、車両に搭載された、または歩行者の携帯する携帯端末から、この携帯端末の位置検出手段から得られた位置情報が付加された事象データを受信して記録し、利用者からの要求により前記携帯端末へ位置情報が付加された事象データを送信する、コンピュータ実行可能なプログラムであり、前記事象データが種別毎に、事象の起こっている位置情報が付加して、事象データベースへ記録する記憶処理と、携帯端末から送信される各地点の前記事象データを、地点の位置情報と関連させて前記事象データベースへ登録する登録処理と、携帯端末からの検索要求に従い、要求された種別に基づいて、事象データを前記事象データベースから検索する検索処理と、サーバが前記事象データの種別毎に、検索部に検索された同一の位置情報の数を登録数として計数し、この登録数を付加して、要求された種類の事象データを、要求した携帯端末へ送信する送信処理とを有することを特徴とするコンピュータにより実行可能なプログラムである。
【００１４】
本発明の道路情報提供プログラムは、前記サーバによる送信処理が、前記事象データの前記登録数の数により、この事象データの信頼度の判定を行う処理を有することを特徴とするコンピュータにより実行可能なプログラムである。
本発明の道路情報提供プログラムは、前記サーバによる送信処理が、前記事象データの関連した位置と、同一の位置に存在する撮像装置及びセンサの出力する周辺情報を、前記登録数とともに用いて所定の地点の信頼度の判定を行う処理を有することを特徴とするコンピュータにより実行可能なプラグラムである。
【００１５】
本発明の道路情報提供プログラムは、前記サーバによる送信処理が、前記事象データベースに登録された事象データと、同一の地点に位置する携帯端末に対し、この事象データを送信し、この携帯端末から送信される、この事象データに対する確認結果を、信頼性を示す情報として添付し、情報要求した携帯端末へ事象データを送信する処理を有することを特徴とするコンピュータにより実行可能なプラグラムである。
本発明の記録媒体は、上記道路情報提供プログラムを記録した、コンピュータにより読みとり可能な記録媒体である。
【００１６】
【発明の実施の形態】
以下、図面を参照して本発明の実施形態について詳細に説明する。
＜第１の実施形態＞
図１は本発明の実施形態による道路情報提供システムの構成例を示すブロック図である。
この図において、道路情報提供システム１は、サーバ２，検索部３，登録部４，事象データベース５を有している。
サーバ２は、車両に搭載し、または利用者が携帯して用いる携帯端末（移動体端末，携帯電話，ＰＤＡ（Ｐｅｒｓｏｎａｌ  Ｄｉｇｉｔａｌ  Ａｓｓｉｓｔａｎｔ）等の通信機能を有する端末）との間で、各地点で起きている事象を示す事象データの授受を行う。
【００１７】
事象データベース５には、図２に示すように、事象データの種類別に、これらの事象データが起こっている位置情報（緯度経度またはノード番号及びリンク番号で示される地図上の座標値）が記憶されている。
事象データの種類としては、交通状態を示す「工事」，「渋滞」，「時刻」，「道路閉鎖」，「降雨（豪雨）」，「路面凍結」などのカテゴリと、イベントを示す「催し物情報」，「開花情報」，「特売情報」などのカテゴリがある。
この位置情報は、例えば、緯度経度の座標値によって表されているが、所定の領域内の座標については同一座標としてに認識し、座標値として、その領域の中心座標値が設定される。
また、事象データベース５には、上記位置情報毎に、各事象データを登録した携帯端末の識別番号が関連づけられて記憶されている。
【００１８】
検索部３は、配信要求された事象データを、事象データベース５から検索して、検索された事象データをサーバ２へ出力する。
そして、サーバ２は、入力される事象データに対して、位置情報および信頼度を示す信頼度情報を添付して、要求元の携帯端末へ送信（配信）する。
ここで、信頼度とは、信頼性（事象データの情報としての確かさを示す）を、各事象データが登録された回数（登録数）で規定されるものである。
すなわち、登録数数が多いほど複数の人間が見て通知したということから信頼性が高く、登録数が少ないほど少数の人間しか確認していないとして信頼性が低いとする。
【００１９】
このため、検索部３は、登録数によって複数の信頼度の段階への分類を、登録数が多いほど信頼度を高くし、登録数が少ないほど信頼度を低して行い、例えば、登録数が１〜３の場合に信頼度を低位とし、登録数が４〜７の場合に信頼度を中位とし、登録数が８以上の場合に信頼度を上位として設定される。
このとき、検索部３は、同一地点において、同一の識別番号が複数ある場合、これを一つとして計数し、同一地点における同一識別番号の重複登録を防止する。
また、サーバ２が上記登録数を信頼性を示すデータとして、後述するリセットの時間経過が短い場合に、事象データに添付して、送付するようにしてもよい。
【００２０】
登録部３は、携帯端末から送信される事象データを、対応する事象種別毎に、各々地点情報及び識別番号を関連づけて、受信した時刻を示す時刻情報とともに事象データベース５に対して登録し、記憶させる。
サーバ２は、交通状態及びイベントのカテゴリ毎に、各々異なる所定の時間毎（例えば、交通状態のカテゴリは１時間毎、イベントのカテゴリは６時間毎）に、事象データベース５の更新処理、すなわち、変化する事象の状態に対応するため、登録された事象データを、上記時刻情報に基づき、登録後、上記一定時間経過した事象データを削除する更新処理を行う。
【００２１】
また、サーバ２は、信頼度の正確の度合いを向上させるため、新たな地点の事象が登録された後、登録後の経過時間によって、この新たに登録された事象の信頼度の段階（評価段階）を判定する登録数の判定範囲を変更するようにしてもよい。
すなわち、サーバ２は、上記経過時間が短いとき、所定の時間（例えば、交通状態のカテゴリは３０分、イベントのカテゴリは２時間）のあいだは、各段階の登録数の判定範囲を各々半分にして、信頼度の判定を行うようにしても良いし、信頼度の表示とともに、判定に足る経過時間が経過していないことを示しても良い。
また、情報通信ネットワークＩは、公衆回線，専用回線，ＷＡＮ（広域エリアネットワーク），インターネットから構成される通信網である。
【００２２】
次に、車両及び利用者に携帯される携帯端末の構成を、図３を用いて説明する。この図３は上記携帯端末の一構成例を示すブロック図である。
携帯端末は、例えば、図１の車両Ｃ１及びＣ２に搭載、または利用者に携行されるものであり、制御部１０，記憶部１１，位置検出部１２，位置指定部１３及び送受信部１４とから構成されている。
制御部１０は記憶部１１に記憶されているプログラムに従い、携帯端末における上記各部の制御を行う。
【００２３】
位置検出部１２は、ＧＰＳ（Ｇｌｏｂａｌ  Ｐｏｓｉｔｉｏｎｉｎｇ  Ｓｙｓｔｅｍ）等を用いて、携帯端末の現在地点を検出し、位置情報として制御部１０に出力する。
送受信部１３は、無線通信機能を有し、図１における無線基地局Ｂ及び情報通信ネットワークＩを介して、携帯端末と道路情報提供システムとの間で、事象データ等のデータの送受信を行う。
利用者が事象データの登録を行う場合、入力部１４により、表示部１５に表示されているカテゴリを選択し、登録処理を行うことにより、制御部１０が位置情報と、記憶部１１に記憶されている携帯端末の識別情報を添付して、送受信部１３を介して、道路情報提供システムに送信する。
【００２４】
また、利用者が事象データの配信を要求する場合、入力部１４により、表示部１５に表示されているカテゴリを選択し、検索要求処理を行うことにより、制御部１０が位置情報と、記憶部１１に記憶されている携帯端末の識別情報を添付して、送受信部１３を介して、道路情報提供システムに送信する。
そして、制御部１０は、送受信部１３から入力される、道路情報提供システムから送信される検索結果を、添付されている位置情報に対応させて、表示部１５に表示（掲示）する。
ここで、表示部１５は、画面上に地図が示されている場合、上記位置情報に基づいて、対応する地図上の位置に、入力される事象データを表示する。
【００２５】
上述したように、第１の実施形態による交通情報提供システムは、固定式センサや撮像装置の設置されていない幹線道路以外の道路を含めて、現在起こっている各種事象を示す事象データを収集し、提供者から提供されたこの事象データに対して、登録者の数により信頼性（有用性）の評価を行い、信頼性の度合いを含めて、利用者に交通情報やイベント情報などの事象データを提供するため、事象データを配信された利用者が、信頼度（登録された数）を知ることにより（登録者が１人でなく複数の場合安心する）、この信頼度により事象データの確からしさを確認することが可能となる。
【００２６】
＜第２の実施形態＞
第２の実施形態は、「渋滞」，「事故」などの交通状態の登録される事象データの信頼度に対して、第１の実施形態の登録数から求める信頼度の段階情報に加えて、道路上に固定状態で設定された固定センサ７及び固定撮像装置８から得られる、以下に示す交通量データを付け加えたものとする。
【００２７】
すなわち、サーバ２は、事象データベース５に登録された事象データの起こっている地点と、同一地点に設けられた上記固定センサ７及び固定撮像装置８から、検出情報及び画像データを受信し、この地点周辺の交通量の状態を判定する。
固定センサ７は、サーバ２からのデータ送信要求を入力することにより、所定の距離範囲に車両等があることを示す検出信号を、サーバ２へ出力するものあり、固定撮像装置は周辺の画像を撮像し、この画像データをサーバ２へ出力するものである。
【００２８】
サーバ２は、上記検出信号が所定の時間以上入力し続けている場合、車両の流れが悪いと判定し、「渋滞」及び「事故」が起こっていることを示す交通量データを出力する。
一方、サーバ２は、上記検出信号が所定の時間以内に変化して、断続的に入力される状態である場合、車両の流れが良好と判定し、「渋滞」及び「事故」が起こっていないことを示す交通量データを出力する。
【００２９】
同様に、サーバ２は、画像データにおいて、所定の時間の間、各画素の変化が設定値以下であると、車両の流れが悪いと判定し、「渋滞」及び「事故」が起こっていることを示す交通量データを出力する。
一方、サーバ２は、画像データにおいて、所定の時間の間、各画素の変化が所定の設定値を超えると、車両の流れが良好と判定し、「渋滞」及び「事故」が起こっていないことを示す交通量データを出力する。
すなわち、サーバ２は、事象データの配信要求があった場合、第１の実施形態の信頼度に、上記車両の流れの状態を示す交通量データを添付して、配信要求元の携帯端末へ送信する。
【００３０】
また、サーバ２は、以下に示す車両からの所定地点における交通量（車両の通行の状態）を交通量示すデータも追加添付して、配信要求元の携帯端末へ送信してもよい。
すなわち、サーバ２は、事象データベース５に登録された事象データの起こっている地点の近傍において移動（走行）している車両を検出し、この検出した車両に搭載された携帯端末に対し、交通状態を示すデータの送信を要求し、車両に搭載されたセンサ及び撮像装置からの検出情報及び画像データを受信し、上述した固定センサ７及び固定撮像装置８からの検出情報及び画像データの判定と同様な処理を行い、対応する地点周辺の交通量の状態を判定する。
【００３１】
このため、上述した構成に対応させるため、車両に搭載する携帯端末にも、第１の実施形態の構成に加えて、図４に示すように、車速センサ入力部１６、センサ１７、撮像装置１８が設けられる。
車速入力部１６は、車両の速度を計測する車速センサから、車速データを入力し、制御部１０へ出力する。
【００３２】
また、撮像装置１８は、同一位置により周辺の撮像を行い、画像データを制御部１０へ送信する。
同様に、センサ１７は、例えば、車両の後部に搭載され、後続車両が所定の距離に近づいた時に検出信号を、制御部１０へ出力する。
そして、制御部１０は、交通情報システム１から交通状態を示すデータが要求されると、上記画像データ，検出信号及び車速データを、送受信部１３を介して、交通情報提供システム１へ送信する。
【００３３】
また、サーバ２は、車両から送信される車速データが所定の速度以下であると、車両の流れが悪いと判定し、「渋滞」及び「事故」が起こっていることを示す交通量データを出力する。
一方、サーバ２は、車両から送信される車速データが所定の速度を超えると、車両の流れが良好と判定し、「渋滞」及び「事故」が起こっていないことを示す交通量データを出力する。
【００３４】
上述したように、第２の実施形態による交通情報提供システムは、第１の実施形態による効果に加え、固定センサ７や固定撮像装置８の設置されている地点については、積極的にこれらの出力する検出信号や画像データを利用し、また、これらの装置が設置ない幹線道路以外の道路においては、事象データベース５に登録された事象データの真偽の確認を、同一地点において走行している車両に搭載されているセンサ１７または撮像装置１８からの検出信号や画像データから、道路における車両の走行状態を確認することができるため、第１の実施形態に比較して、より事象データの信頼性を確認することが可能となる。
【００３５】
また、第２の実施形態において、登録された事象データの登録数でなく、同一地点に設置されている、または走行している車両に搭載されているセンサや撮像装置による確認結果のみを、事象データに添付する信頼性を示すデータとして、事象データに添付して、配信要求元の携帯端末へ送信するようにしても、信頼性を有する情報提供が行える。
【００３６】
＜第３の実施形態＞
第３の実施形態は、第１の実施形態または第２の実施形態の構成に加え、サーバ２が、事象データベース５に登録された事象データと、同一の地点に位置する携帯端末（車両に搭載されているか、または利用者に携帯されている）を、各携帯端末から送信される位置情報により検索し、この検索された携帯端末に対し、この登録された事象データを送信し、この事象データの事実の確認を要求（依頼）する。
これにより、携帯端末は、利用者により入力される、上記確認要求に対するこの利用者による確認結果を、サーバ２へ送信する。
【００３７】
そして、サーバ２は、車両に搭乗している利用者や、携帯端末を携行している利用者の入力する確認結果を受信する。
次に、サーバ２は、確認要求を依頼した携帯端末から送信される、この事象データに対する確認結果を、信頼性を示す情報として、信頼度とともに事象データに添付し、事象データの配信要求を行った携帯端末に対して、この事象データを送信する。
【００３８】
上述したように、第３の実施形態による交通情報提供システムは、第１の実施形態または第２の実施形態による効果に加え、幹線道路以外の道路においても、事象データの信頼性が確保されるように、事象データベース５に登録された事象データの真偽の確認を、同一地点にいる他の車両に搭乗した利用者、または他の利用者に対して要求して、受信するこれらの確認結果を事象データに添付して送信することにより、第１の実施形態及び第２の実施形態に比較して、より事象データの信頼性を確認することが可能となる。
【００３９】
また、第３の実施形態において、登録された事象データの登録数でなく、また、センサや撮像装置による確認でなく、登録された事象データと同一地点にいる車両または他の利用者に対して要求して、この確認結果のみを信頼性を示すデータとして、事象データに添付して、配信要求元の携帯端末へ送信するようにしても、信頼性を有する情報提供が行える。
【００４０】
次に、本発明の実施の形態によるコンピュータが実行するためのプログラムについて説明する。
図１における道路情報提供システムにおけるコンピュータシステムのＣＰＵが実行するためのプログラムは、本発明によるプログラムを構成する。
このプログラムを格納するための記録媒体としては、光磁気ディスク、光ディスク、半導体メモリ、磁気記録媒体等を用いることができ、これらをＲＯＭ、ＲＡＭ、ＣＤ−ＲＯＭ、フレキシブルディスク、メモリカード等に構成して用いてよい。
【００４１】
また上記記録媒体は、インターネット等のネットワークや電話回線等の通信回線を介してプログラムが送信された場合のサーバやクライアントとなるコンピュータシステム内部のＲＡＭ等の揮発性メモリのように、一定時間プログラムを保持するものも含まれる。
【００４２】
また上記プログラムは、このプログラムを記憶装置等に格納したコンピュータシステムから伝送媒体を介して、あるいは伝送媒体中の伝送波により他のコンピュータシステムに伝送されるものであってもよい。上記伝送媒体とは、インターネット等のネットワーク（通信網）や電話回線等の通信回線（通信線）のように情報を伝送する機能を有する媒体をいうものとする。
【００４３】
また、上記プログラムは、前述した機能の一部を実現するためであってもよい。さらに、前述した機能をコンピュータシステムに既に記録されているプログラムとの組み合わせで実現できるもの、いわゆる差分ファイル（差分プログラム）であってもよい。
【００４４】
従って、このプログラムを図１のシステム又は装置とは異なるシステム又は装置において用い、そのシステム又は装置のコンピュータがこのプログラムを実行することによっても、上記実施の形態で説明した機能及び効果と同等の機能及び効果を得ることができ、本発明の目的を達成することができる。
【００４５】
以上、本発明の一実施形態を図面を参照して詳述してきたが、具体的な構成はこの実施形態に限られるものではなく、本発明の要旨を逸脱しない範囲の設計変更等があっても本発明に含まれる。
【００４６】
【発明の効果】
本発明の交通情報提供システムによれば、固定式センサや撮像装置の設置されていない幹線道路以外の道路を含めて、現在起こっている各種事象を示す事象データを収集し、提供者から提供されたこの事象データに対して、登録者の数により信頼性（有用性）の評価を行い、信頼性の度合いを含めて、利用者に交通情報やイベント情報などの事象データを提供するため、事象データを配信された利用者が、信頼度（登録された数）を知ることにより（登録者が１人でなく複数の場合安心する）、この信頼度により事象データの確からしさを確認することが可能となる。
【図面の簡単な説明】
【図１】本発明の実施形態による道路情報提供システムの構成例を示すブロック図である。
【図２】図１の事象データベース４に記憶されているデータ構成を示す概念図である。
【図３】図１の車両Ｃに搭載されている、第１の実施形態による携帯端末（第１及び第２の実施形態において利用者が携帯する）の構成例を示すブロック部である。
【図４】図１の車両Ｃに搭載されている、第２の実施形態による携帯端末の構成例を示すブロック部である。
【符号の説明】
１  道路情報提供システム
２  サーバ
３  検索部
４  登録部
５  事象データベース
７  固定センサ
８  固定撮像装置
１０  制御部
１１  記憶部
１２  位置検出部
１３  送受信部
１４  入力部
１５  表示部
１６  車速入力部
１７  センサ
１８  撮像装置
Ｉ  情報通信ネットワーク
Ｃ１，Ｃ２  車両
Ｂ  無線基地局
【図１】
2004287500.tif 000003
【図２】
2004287500.tif 000004
【図３】
2004287500.tif 000005
【図４】
2004287500.tif 000006